(57)【要約】【課題】広告料算定基準の根拠が明確になり、より適切、かつ、公平な広告料を定めることができるようにする。【解決手段】携帯プローブ情報から、複数の広告場所における所定時間毎の通行量を算出し、算出した通行量を、広告場所と、所定時間と、通行量に影響を与える条件因子の情報と共に蓄積する通行量蓄積手段を備える。指定された広告期間が広告予定期間であるときに、指定された広告場所における当該広告予定期間での通行量に影響を与える条件因子の情報を取得する。指定された広告場所における通行量蓄積手段に蓄積されている通行量の中から、指定された広告期間で定まる時間条件及び取得した条件因子の情報と同一または近似する時間条件及び条件因子が対応して蓄積されている通行量を抽出し、その抽出した通行量に基づいて生成した広告予定期間における通行量を広告料算定基準とする。【選択図】図１
2014021912.tif 000002
【特許請求の範囲】
【請求項１】
広告場所と広告期間とを含む広告料算定基準取得要求を受け取る受取手段と、
携帯電話端末の位置情報を含む携帯プローブ情報から、複数の広告場所における所定時間毎の通行量を算出し、前記算出した通行量を、前記広告場所と、前記所定時間と、前記広告場所及び前記所定時間に関連して前記通行量に影響を与える条件因子の情報と共に蓄積する通行量蓄積手段と、
前記広告料算定基準取得要求に含まれる前記広告期間が広告予定期間であるときに、当該広告場所における当該広告予定期間での前記通行量に影響を与える条件因子の情報を取得する取得手段と、
前記広告料算定基準取得要求に含まれる前記広告場所における前記通行量蓄積手段に蓄積されている通行量の中から、前記広告料算定基準取得要求に含まれる前記広告期間で定まる時間条件及び前記取得手段で取得した前記条件因子の情報と同一または近似する時間条件及び条件因子が対応して蓄積されている通行量を抽出し、その抽出した通行量に基づいて生成した前記広告予定期間における通行量を広告料算定基準として、前記広告料算定基準取得要求を送ってきた相手方に提供する手段と、
を備える広告料算定基準提供装置。
【請求項２】
前記通行量に影響を与える条件因子の情報は、気象情報を含む
請求項１に記載の広告料算定基準提供装置。
【請求項３】
前記通行量に影響を与える条件因子の情報は、イベントの開催情報を含む
請求項１または請求項２に記載の広告料算定基準提供装置。
【請求項４】
前記広告料算定基準取得要求に含まれる前記広告期間が過去の期間であるときには、前記広告場所における前記過去の期間での前記通行量を、前記過去の広告期間における広告料算定基準として、前記広告料算定基準取得要求を送ってきた相手方に提供する手段を備える
ことを特徴とする請求項１〜請求項３のいずれかに記載の広告料算定基準提供装置。
【請求項５】
前記広告料算定基準取得要求が、広告中の広告場所での通行量の取得要求である場合には、前記広告料算定基準取得要求に含まれる前記広告場所における通行量を、前記携帯プローブ情報から所定時間毎に算出して、前記広告料算定基準取得要求を送ってきた相手方に提供する手段を備える
ことを特徴とする請求項１〜請求項４のいずれかに記載の広告料算定基準提供装置。
【請求項６】
広告料算定基準提供装置と、広告の提供の実行を管理する管理会社装置とからなり、
前記広告料算定基準提供装置は、
前記管理会社装置から、広告場所と広告期間とを含む広告料算定基準取得要求を受け取る受取手段と、
携帯電話端末の位置情報を含む携帯プローブ情報から、複数の広告場所における所定時間毎の通行量を算出し、前記算出した通行量を、前記広告場所と、前記所定時間と、前記広告場所及び前記所定時間に関連して前記通行量に影響を与える条件因子の情報と共に蓄積する通行量蓄積手段と、
前記広告料算定基準取得要求に含まれる前記広告期間が広告予定期間であるときに、当該広告場所における当該広告予定期間での前記通行量に影響を与える条件因子の情報を取得する取得手段と、
前記広告料算定基準取得要求に含まれる前記広告場所における前記通行量蓄積手段に蓄積されている通行量の中から、前記広告料算定基準取得要求に含まれる前記広告期間で定まる時間条件及び前記取得手段で取得した前記条件因子の情報と同一または近似する時間条件及び条件因子が対応して蓄積されている通行量を抽出し、その抽出した通行量に基づいて生成した通行量を前記広告予定期間における広告料算定基準として、前記管理会社装置に提供する手段と、
を備え、
前記管理会社装置は、
前記広告料算定基準提供装置から受け取った前記広告料算定基準としての前記通行量に基づいて、前記広告予定期間における広告料を算定する手段を備える
ことを特徴とする広告料算定システム。
【請求項７】
前記管理会社装置は、前記広告予定期間が経過した後、過去となった前記広告予定期間と前記広告場所を指定した広告料算定基準取得要求を、前記広告料算定基準提供装置に送り、
前記広告料算定基準提供装置は、前記広告料算定基準取得要求に含まれる前記過去の広告期間の前記広告場所における前記通行量を、前記過去の広告期間における広告料算定基準として、前記管理会社装置に提供し、
前記管理会社装置は、受け取った前記過去の広告期間における広告料算定基準により、前記広告予定期間における広告料を修正する
ことを特徴とする請求項６に記載の広告料算定システム。
【請求項８】
前記管理会社装置は、広告実行中の広告場所での通行量の取得要求を伴う前記広告場所を指定した広告料算定基準取得要求を、前記広告料算定基準提供装置に送り、
前記広告料算定基準提供装置は、前記広告料算定基準取得要求に含まれる前記広告場所における通行量を、前記携帯プローブ情報から所定時間毎に算出して、前記管理会社装置に提供し、
前記管理会社装置は、広告料算定基準提供装置から取得した前記所定時間毎の通行量が予め定めた所定の通行量となるまで、広告の提供を行う
ことを特徴とする請求項６に記載の広告料算定システム。
【発明の詳細な説明】
【技術分野】
【０００１】
この発明は、通行人に対して提供された広告に対する広告料算定基準となる情報を、広告代理店などの広告業者に対して提供する広告料算定基準提供装置に関する。
【背景技術】
【０００２】
例えば看板やポスターにより掲示されて通行人に対して提供された広告についての広告料算定基準は、当該広告を見る可能性のある人数とされている。しかし、従来の広告料算定基準は、比較的大雑把なものとなっている。例えば鉄道の駅の構内の看板の場合、その駅の一日の乗降客の平均が広告料算定基準とされており、例えば、その駅の１日の乗降客数が４００万人であれば、Ａ２版の大きさの広告で、１ヶ月、４０万円というように定められている。
【０００３】
最近は、看板やポスターに代わって、表示画面に広告が映像として表示されるデジタルサイネージによる広告も提供されているが、このようなデジタルサイネージによる広告においても、広告料算定の方法は変わらないと考えられる。
【０００４】
しかし、広告を見る可能性のある人数は、種々の要因により変動する。例えば駅の乗降客は、時刻、昼夜、季節、曜日や平日／祝祭日などにより変動する。このため、上記のような大雑把な広告料算定基準では根拠が不明確であり、適切、かつ、公平な広告料となっていないことが多々ある。
【０００５】
この問題の一つの解決案として、特許文献１（特開２００２−７４１９７号公報）には、広告場所と広告が掲示されていた時間（時刻、昼夜、季節、曜日や平日／祝祭日など）に応じて広告料金を算定するようにして、より適切な広告料算定基準とすることができるようにすることが開示されている。
【先行技術文献】
【特許文献】
【０００６】
【特許文献１】特開２００２−７４１９７号公報
【発明の概要】
【発明が解決しようとする課題】
【０００７】
しかしながら、広告場所を通る通行人の多寡は、広告場所と広告が掲示されていた時間（広告期間）以外の因子、例えば天候や、近くでイベントが開催されているか否かなどの種々の条件因子によっても変化するものである。このため、特許文献１の技術のように、広告場所に広告が掲示されていた時間の条件を加えただけでは、未だ、広告料算定基準は、根拠が明確ではなく、適切、かつ、公平な広告料を設定できないおそれがある。
【０００８】
この発明は、以上の点にかんがみ、広告料算定基準の根拠が明確になり、より適切、かつ、公平な広告料を定めることができるようにすることを目的とする。
【課題を解決するための手段】
【０００９】
上記の課題を解決するために、請求項１の発明は、
広告場所と広告期間とを含む広告料算定基準取得要求を受け取る受取手段と、
携帯電話端末の位置情報を含む携帯プローブ情報から、複数の広告場所における所定時間毎の通行量を算出し、前記算出した通行量を、前記広告場所と、前記所定時間と、前記広告場所及び前記所定時間に関連して前記通行量に影響を与える条件因子の情報と共に蓄積する通行量蓄積手段と、
前記広告料算定基準取得要求に含まれる前記広告期間が広告予定期間であるときに、当該広告場所における当該広告予定期間での前記通行量に影響を与える条件因子の情報を取得する取得手段と、
前記広告料算定基準取得要求に含まれる前記広告場所における前記通行量蓄積手段に蓄積されている通行量の中から、前記広告料算定基準取得要求に含まれる前記広告期間で定まる時間条件及び前記取得手段で取得した前記条件因子の情報と同一または近似する時間条件及び条件因子が対応して蓄積されている通行量を抽出し、その抽出した通行量に基づいて生成した前記広告予定期間における通行量を広告料算定基準として、前記広告料算定基準取得要求を送ってきた相手方に提供する手段と、
を備える広告料算定基準提供装置を提供する。
【００１０】
上述の構成の広告料算定基準提供装置の通行量蓄積手段には、広告の提示が予定されている場所（広告予定場所）毎に、携帯プローブ情報から算出された所定時間毎の通行量が、前記広告場所と、前記所定時間と、前記広告場所及び前記所定時間に関連して前記通行量に影響を与える条件因子の情報と共に蓄積されている。
【００１１】
そして、広告料算定基準提供装置は、例えば広告代理店などの広告の提供の実行を管理する管理会社装置から、広告場所と広告期間とを含む広告料算定基準取得要求を受け取ると、その広告料算定基準取得要求に含まれる広告期間が広告予定期間であるときには、当該広告場所における当該広告予定期間での通行量に影響を与える条件因子の情報、例えば気象予報やイベント情報を、取得手段により取得する。
【００１２】
そして、受け取った広告料算定基準取得要求に含まれる広告場所における通行量蓄積手段に蓄積されている通行量の中から、広告料算定基準取得要求に含まれる広告期間で定まる時間条件及び取得手段で取得した条件因子の情報と同一または近似する時間条件及び条件因子が対応して蓄積されている通行量を抽出する。そして、その抽出した通行量に基づいて生成した通行量を、広告予定期間における広告料算定基準として、広告料算定基準取得要求を送ってきた相手方に提供する。
【００１３】
以上のように構成されているので、この発明によれば、指定された広告場所において、指定された広告予定期間と同様の期間や時間帯で、かつ、通行量に影響を与える条件因子が同様となる通行量の情報を、通行量蓄積手段から抽出して、その抽出した通行量から、指定された広告予定期間の通行量を、広告料算定基準として、その要求側に提供する。
【００１４】
この発明において提供される広告料算定基準は、指定された広告予定場所及び広告予定期間でのＴ（時間）、Ｐ（場所）、Ｏ（場合）と同様のＴ、Ｐ、Ｏとなる過去の通行量である。すなわち、広告予定場所における、広告が提示される予定の期間や時間帯の通行量であって、天候やイベント開催条件などの条件因子も同様の通行量である。したがって、この発明により提供される広告料算定基準は、根拠が明確となり、広告代理点は、クライアントに対して適切かつ公平な広告料を請求することができるようになる。
【００１５】
また、請求項６の発明は、
広告料算定基準提供装置と、広告の提供の実行を管理する管理会社装置とからなり、
前記広告料算定基準提供装置は、
前記管理会社装置から、広告場所と広告期間とを含む広告料算定基準取得要求を受け取る受取手段と、
携帯電話端末の位置情報を含む携帯プローブ情報から、複数の広告場所における所定時間毎の通行量を算出し、前記算出した通行量を、前記広告場所と、前記所定時間と、前記広告場所及び前記所定時間に関連して前記通行量に影響を与える条件因子の情報と共に蓄積する通行量蓄積手段と、
前記広告料算定基準取得要求に含まれる前記広告期間が広告予定期間であるときに、当該広告場所における当該広告予定期間での前記通行量に影響を与える条件因子の情報を取得する取得手段と、
前記広告料算定基準取得要求に含まれる前記広告場所における前記通行量蓄積手段に蓄積されている通行量の中から、前記広告料算定基準取得要求に含まれる前記広告期間で定まる時間条件及び前記取得手段で取得した前記条件因子の情報と同一または近似する時間条件及び条件因子が対応して蓄積されている通行量を抽出し、その抽出した通行量に基づいて生成した通行量を前記広告予定期間における広告料算定基準として、前記管理会社装置に提供する手段と、
を備え、
前記管理会社装置は、
前記広告料算定基準提供装置から受け取った前記広告料算定基準としての前記通行量に基づいて、前記広告予定期間における広告料を算定する手段を備える
ことを特徴とする広告料算定システムを提供する。
【００１６】
また、請求項７の発明は、請求項６の発明において、
前記管理会社装置は、前記広告予定期間が経過した後、過去となった前記広告予定期間と前記広告場所を指定した広告料算定基準取得要求を、前記広告料算定基準提供装置に送り、
前記広告料算定基準提供装置は、前記広告料算定基準取得要求に含まれる前記過去の広告期間の前記広告場所における前記通行量を、前記過去の広告期間における広告料算定基準として、前記管理会社装置に提供し、
前記管理会社装置は、受け取った前記過去の広告期間における広告料算定基準により、前記広告予定期間における広告料を修正する
ことを特徴とする。
【００１７】
この請求項７の発明においては、広告の提供の実行を管理する管理会社装置は、広告予定期間についての広告料算定基準により広告料を一旦定めるが、広告予定期間が過ぎた後に、その過去となった広告予定期間及び広告場所を指定して、再度、広告料算定基準提供装置に、広告料算定基準取得要求を送る。
【００１８】
すると、広告料算定基準提供装置は、その指定された広告場所における前記広告期間における実際の通行量を、広告料算定基準を管理会社装置に送る。そこで、管理会社装置では、広告予定期間についての広告料算定基準により定めた広告料を、実際に広告を実行した広告期間における当該広告場所での実際の通行量に基づいて、修正するようにすることができる。したがって、管理会社装置は、取得した広告料算定基準としての通行量に基づいて、広告料をより適切、且つ公平に定めることができる。
【００１９】
また、請求項８の発明は、請求項６に記載の広告料算定システムにおいて、
前記管理会社装置は、広告実行中の広告場所での通行量の取得要求を伴う前記広告場所を指定した広告料算定基準取得要求を、前記広告料算定基準提供装置に送り、
前記広告料算定基準提供装置は、前記広告料算定基準取得要求に含まれる前記広告場所における通行量を、前記携帯プローブ情報から所定時間毎に算出して、前記管理会社装置に提供し、
前記管理会社装置は、広告料算定基準提供装置から取得した前記所定時間毎の通行量が予め定めた所定の通行量となるまで、広告の提供を行う
ことを特徴とする。
【００２０】
この請求項８の発明によれば、管理会社装置は、広告の実行中の通行量の取得要求を伴う広告場所を指定した広告料算定基準取得要求を、広告料算定基準提供装置に送り、その要求に対する回答情報として、広告料算定基準提供装置から、広告場所における広告実行中の通行量を所定時間毎に受け取る。つまり、管理会社装置は、広告料算定基準として、当該広告実行時点での通行量の情報を受け取る。そして、管理会社装置は、その受け取った通行料が予め定めた所定の通行量となるまで、広告の提供を行う。
【００２１】
この請求項８によれば、広告期間は、所定の通行量となった時点で終了となる。したがって、この請求項８によれば、広告代理店は、根拠が明確な広告料算定基準としての通行量に応じて広告料を定めることにより、適切かつ公平な広告料を、クライアントに請求することができるようになる。
【発明の効果】
【００２２】
この発明によれば、提供される広告料算定基準は、指定された広告場所及び広告予定期間でのＴ、Ｐ、Ｏと同様のＴ、Ｐ、Ｏとなる過去の通行量であるので、根拠が明確であり、この広告料算定基準に基づいて定められた広告料は、適切かつ公平なものとなる。
【図面の簡単な説明】
【００２３】
【図１】この発明による広告料算定システムの一実施形態の全体の構成例を示すブロック図である。
【図２】この発明による広告料算定基準提供装置の実施形態のハードウエア構成例を示すブロック図である。
【図３】図２の実施形態の広告料算定基準提供装置の一部の構成を説明するための図である。
【図４】この発明による広告料算定システムの一実施形態における管理会社装置の例である広告代理店装置のハードウエア構成例を示す図である。
【図５】この発明による広告料算定基準提供装置の実施形態の処理動作の流れの一例を説明するためのフローチャートを示す図である。
【図６】この発明による広告料算定基準提供装置の実施形態の処理動作の流れの一例を説明するためのフローチャートの一部を示す図である。
【図７】この発明による広告料算定基準提供装置の実施形態の処理動作の流れの一例を説明するためのフローチャートの一部を示す図である。
【発明を実施するための形態】
【００２４】
以下、この発明による広告料算定システム及び、このシステムにおける広告料算定基準提供装置の実施形態を、図を参照しながら説明する。以下の実施形態において、広告は、例えば看板やポスターにより掲示する場合のほか、デジタルサイネージとして、表示画面に表示されて掲示される場合を含む。広告場所は、広告の掲示や表示が行われる場所であり、また、広告期間は、広告の掲示や表示が行われる期間や時間帯である。
【００２５】
図１は、この実施形態の広告料算定システム１０の全体の構成例を示す図である。この実施形態の広告料算定システム１０は、広告料算定基準提供装置の例としての広告料算定基準提供サーバ１と、広告の提供の実行を管理する管理会社装置の例としての広告代理店装置２とが、インターネットを含むネットワーク３を介して接続されて構成されている。
【００２６】
また、ネットワーク３と一部重複するように携帯電話網４が設けられており、この携帯電話網４には、携帯電話端末５が接続される。また、この実施形態では、携帯電話網４には、携帯プローブ情報収集サーバ６が接続されている。
【００２７】
携帯電話端末５は、この例では、ＧＰＳ（Global  Positioning  System）衛星からの電波や、基地局からの電波及びジャイロセンサなどを用いて、常に現在位置情報を検出し、その検出した現在位置情報と、当該携帯電話端末５の所有者であるユーザＩＤを含む携帯プローブ情報を、携帯電話網４に送出する機能を備えている。携帯プローブ情報収集サーバ６は、携帯電話網４を通じて携帯電話端末５からの携帯プローブ情報を収集して蓄積する。
【００２８】
そして、この例においては、契約により、広告料算定基準提供サーバ１は、携帯プローブ情報収集サーバ６からの携帯プローブ情報を取得することができるようにされている。広告料算定基準提供サーバ１は、取得した携帯プローブ情報は、後述するように、広告料算定基準となる広告場所における広告期間での通行量を求めるために用いられる。
【００２９】
ネットワーク３には、また、気象情報提供サイト７及びイベント情報提供サイト８が接続されている。この実施形態では、広告料算定基準提供サーバ１は、気象情報提供サイト７及びイベント情報提供サイト８のＵＲＬ（uniform resource locator）を記憶しており、適宜、これら気象情報提供サイト７及びイベント情報提供サイト８に、ネットワーク３を通じてアクセスすることができるように構成されている。
【００３０】
気象情報提供サイト７は、現時点の気象情報のほか、将来時点における気象予報情報も提供する。気象情報及び気象予報情報には、晴れ、曇り、雨などの天候の情報に加えて、気温や湿度、風力、などの情報も含まれる。これらの気象情報及び気象予報情報は、人が外出して、広告場所を通行する可能性があるか否かに関係する情報であり、広告場所における通行量に影響を与える情報の一例である。
【００３１】
広告料算定基準提供サーバ１は、気象情報提供サイト７にアクセスして、指定場所における、指定時点あるいは指定時間帯の気象情報または気象予報情報を取得する。ここで、指定場所は広告場所であり、また、指定時点あるいは指定時間帯は、広告期間の気象情報または気象予報情報の取得のために用いられる。
【００３２】
また、広告料算定基準提供サーバ１は、イベント情報提供サイト８にアクセスして、指定場所の周辺において、指定時点や指定期間あるいは指定時間帯で、イベントが開催されている場合に、その開催されているイベントの名前や種類、イベント内容の情報（以下、イベント情報という）を取得する。イベントの開催の有無に応じて、広告場所を通行する人数が変化する可能性があり、このイベント情報も、広告場所における通行量に影響を与える情報の一例である。
【００３３】
この場合に、イベント情報の取得要求の対象となる指定場所は、広告場所であり、指定時間や指定期間あるいは指定時間帯は、広告期間に対応する。この場合に、イベント情報提供サイト８は、参加者が、最寄りの駅やバス停などからイベント会場に移動する場合に、広告料算定基準提供サーバ１が指定場所（広告場所）を通過するか否かを判定し、その指定された広告場所を通過する可能性があると判定したときに、そのイベント情報を、広告料算定基準提供サーバ１に送出するようにする。
【００３４】
そして、この実施形態では、広告代理店装置２は、将来の広告についての広告予定場所及び広告予定期間における広告料算定基準の要求と、過去の広告についての広告場所及び広告期間における広告料算定基準の要求と、現在実行中の広告についての広告場所及び広告期間における広告料算定基準の要求との、３種の要求を、広告料算定基準提供サーバ１に対して送ることができる。
【００３５】
広告料算定基準提供サーバ１は、後述するように、これらの３種の要求のそれぞれに応じた広告料算定基準として、それぞれに適合する通行量を算出して、広告代理店装置２に対して、ネットワーク３を通じて送信する。
【００３６】
広告代理店装置２は、将来の広告についての広告予定場所及び広告予定期間における広告料算定基準としての通行量を、広告料算定基準提供サーバ１から受け取ると、その受け取った通行量に基づいて、広告予定場所及び広告予定期間における広告料を見積もる、あるいは、広告料を設定する。
【００３７】
そして、この例では、広告代理店装置２は、広告予定場所及び広告予定期間において広告の掲示を実行した後には、その実行により過去となった広告期間及び広告場所を含む広告料算定基準の要求を、広告料算定基準提供サーバ１に対して送る。そして、この過去の広告期間における広告場所における広告料算定基準としての通行量を、広告料算定基準提供サーバ１から受け取ると、広告代理店装置２は、その受け取った通行量に基づいて、前記見積もった広告料に対する実際の請求する広告料の設定を行ったり、あるいは、広告予定場所及び広告予定期間について設定した広告料について、広告料の追加あるいは減額を行ったりする。
【００３８】
また、広告代理店装置２は、現在実行中の広告についての広告場所及び広告期間における広告料算定基準としての通行量を、広告料算定基準提供サーバ１から受け取ると、その受け取った通行量が予め定めた通行量になったか否か判別し、予め定めた通行量を超えた時点を、広告の終期として決定する。
【００３９】
すなわち、例えば、広告代理店装置２が、広告の掲示方法として、１日のうちの所定の時間帯においてだけ、デジタルサイネージによるスポット広告をする場合であって、当該スポット広告を、契約により広告場所での通行量が所定量になるまで継続するようにする場合を例に取る。
【００４０】
この場合、広告代理店装置２は、例えばスポット広告を行った時間帯の終了時点で、そのスポット広告を行った時間帯を広告期間として、その広告期間における広告料算定基準としての実際の通行量を、広告料算定基準提供サーバ１に要求して取得する。そして、広告代理店装置２は、そのスポット広告の時間帯毎の累積通行量が、予め契約により定められた広告料に対応する所定通行量となったときに、デジタルサイネージによるそのスポット広告の提示を終了するようにする。
【００４１】
次に、広告料算定基準サーバ１及び広告代理店装置２のハードウエア構成、並びに、それらの処理動作の詳細について説明する。
【００４２】
［広告料算定基準提供サーバ１のハードウエア構成例］
図２は、広告料算定基準提供サーバ１のハードウエア構成例のブロック図である。この例の広告料算定基準提供サーバ１は、コンピュータにより構成される制御部１０１に対して、システムバス１００を通じて、通信インターフェース１０２、送受信処理部１０３、時計部１０４、蓄積情報生成部１０５、広告料算定基準情報蓄積部１０６、広告料算定基準取得要求受付部１０７及び要求回答情報生成部１０８のそれぞれが接続されている。
【００４３】
制御部１０１は、この例の広告料算定基準提供サーバ１の動作の全体を制御するためのもので、内蔵するメモリに、その処理制御のための種々の処理プログラムを格納している。そして、制御部１０１は、このメモリに格納されている処理プログラムを実行することで、後述する種々の処理動作を行う。
【００４４】
通信インターフェース１０２は、ネットワーク３に接続されている。この通信インターフェース１０２は、制御部１０１の制御の下で、ネットワーク３を通じた情報の送受信を行う。送受信処理部１０３は、制御部１０１の制御に基づいて、通信インターフェース１０２を通じて受信した情報をデコードし、デコードした情報を、システムバス１００を通じて必要な各部に転送すると共に、システムバス１００を通じて転送されてきた情報を、通信インターフェース１０２を通じて送信する情報の形態に変更する処理を行う。
【００４５】
時計部１０４は、カレンダー機能を備え、日時情報をシステムバス１００に送出する。この時計部１０４からの日時情報は、制御部１０１により、後述する広告料算定基準情報を蓄積するための時間帯Ｔｉ−Ｔ（ｉ＋１）などの時間管理のために用いられる。
【００４６】
蓄積情報生成部１０５は、ネットワーク３を通じて携帯プローブ情報収集サーバ９から受信する携帯プローブ情報を用いて、予め登録されている広告場所ごとに、所定の時間帯単位で通行量を算出し、その算出した通行量を、広告料算定基準情報蓄積部１０６に蓄積する機能を備える。
【００４７】
図３に、広告料算定基準情報蓄積部１０６の格納情報の一例を示す。ここで、時間Ｔｉ−Ｔ（ｉ＋１）は、時間帯を示している。Ｔｉ及びＴ（ｉ＋１）のそれぞれは、年月日及び時刻の情報からなる。時間帯は、１日分の２４時間を複数個に分割した時間帯、例えば１時間毎としても良いし、朝、昼、夕、夜などの時間帯を設定してもよい。朝、昼、夕、夜などの時間帯は、互いに異なる時間長であっても良い。また、時間帯は、１日単位、１周単位などであっても良い。
【００４８】
また、広告場所Ｐ１，Ｐ２，Ｐ３・・・は、看板やポスターを掲示する場所、あるいは、デジタルサイネージの場合の表示装置を設置してある場所であり、例えば広告代理店などからの通知により、広告予定場所として予め登録される。この広告予定場所は、例えば緯度、経度で特定される。
【００４９】
通行量ＭＡ，ＭＢ，ＭＣ，・・・は、広告場所を通行した人数である。携帯プローブ情報には、緯度、経度の位置情報と、その位置情報に対応する時刻情報が含まれているので、蓄積情報生成部１０５は、携帯プローブ情報の位置情報と時刻情報とから、各携帯電話端末５のユーザが、広告場所を通過したか否かを判断することができる。蓄積情報生成部１０５は、各広告場所を通過したユーザの人数を、前記所定時間帯毎に累積することで、各広告場所に対する所定時間帯毎の通行量を算出することができる。この場合に、広告が掲示される向きや、デジタルサイネージの場合の表示画面の向きを考慮して、掲示あるいは表示されている広告を見ることができる方向に通過した携帯電話端末のみを、広告場所を通行したとして検出するようにしても良い。
【００５０】
また、蓄積情報生成部１０５は、登録されている広告場所ごとの、前記通行量を算出した所定の時間帯における気象情報を、気象情報提供サイト７に要求して取得する。そして、蓄積情報生成部１０５は、取得した気象情報を、図３に示すように、広告場所、所定の時間帯及び通行量に対応付けて、広告料算定基準情報蓄積部１０６に格納する。図３の例では、気象情報は、天候、気温、湿度とされているが、これに加えて、風力や、雷注意報などの気象警報を格納しておくようにしても良い。
【００５１】
更に、蓄積情報生成部１０５は、登録されている広告場所ごとの、前記通行量を算出した所定の時間帯におけるイベント情報を、イベント情報提供サイト８に要求して取得する。そして、蓄積情報生成部１０５は、取得したイベント情報を、図３に示すように、広告場所、所定の時間帯及び通行量に対応付けて、広告料算定基準情報蓄積部１０６に格納する。図３の例では、イベント情報としては、「Ｊリーグゲーム」（プロサッカーの試合有り）、「プロ野球ゲーム」（プロ野球の試合有り）、などのイベントの他、所定のデパート店舗でバーゲンセール開催中などが格納されている。
【００５２】
図３のイベント情報は一例であり、このほか、祭りの開催、ノミの市の開催、など、その他種々のイベントの情報が格納されることは言うまでもない。また、イベント情報としては、広告場所の周辺で、それぞれの時間帯には何もイベントが開催されていなければ「なし」が記録されるのは勿論である。
【００５３】
なお、通行量に影響を与える条件因子には、場所や時間も含まれるが、これら場所や時間は、広告場所及び時間帯として記録されるので、この例においては、通行量に影響を与える条件因子は、Ｔ（時間），Ｐ（場所），Ｏ（場合）におけるＯ（場合）の因子のみを考慮したものとしている。
【００５４】
次に、広告料算定基準取得要求受付部１０７は、広告代理店装置２からの前述した３種の広告料算定基準取得要求を受け付け、当該要求に含まれる指定された広告場所及び広告期間の情報を抽出して、要求回答情報生成部１０８に転送する機能を有する。
【００５５】
要求回答情報生成部１０８は、広告代理店装置２からの上述した３種の広告料算定基準取得要求のそれぞれに応じて、回答情報の広告料算定基準としての通行量を算出して、前記要求をしてきた広告代理店装置２に対して送信するようにする。
【００５６】
なお、上述した広告料算定基準提供サーバ１の構成において、送受信処理部１０３、蓄積情報生成部１０５、広告料算定基準取得要求受付部１０７及び要求回答情報生成部１０８は、制御部１０１が内蔵するメモリに格納されているソフトウエアプログラムにより、制御部１０１がその処理機能として実行することもできる。
【００５７】
［広告代理店装置２のハードウエア構成例］
図４は、広告代理店装置２のハードウエア構成例のブロック図である。この例の広告代理店装置は、例えばパーソナルコンピュータにより構成されるものである。すなわち、図４に示すように、広告代理店装置２は、例えばマイクロコンピュータにより構成される制御部２０１に対して、システムバス２００を通じて、通信インターフェース２０２、送受信処理部２０３、表示制御部２０４、操作部インターフェース２０５、広告料算定基準取得要求生成部２０６、広告料算定部２０７のそれぞれが接続されている。そして、表示制御部２０４に対して、例えばＬＣＤ（Liquid  Crystal  Display）などからなる表示部２０８が接続されている。また、操作部インターフェース２０５には、キーボードやマウスなどからなる操作部２０９が接続されている。
【００５８】
制御部２０１は、この例の広告代理店装置２の動作の全体を制御するためのもので、内蔵するメモリに、その処理制御のための種々の処理プログラムを格納している。
【００５９】
通信インターフェース２０２は、ネットワーク３に接続されている。この通信インターフェース２０２は、制御部２０１の制御の下で、ネットワーク３を通じた情報の送受信を行う。送受信処理部２０３は、制御部２０１の制御に基づいて、通信インターフェース２０２を通じて受信した情報をデコードし、デコードした情報を、システムバス２００を通じて必要な各部に転送すると共に、システムバス２００を通じて転送されてきた情報を、通信インターフェース２０２を通じて送信する情報の形態に変更する処理を行う。
【００６０】
表示制御部２０４は、制御部２０１の制御に従い、例えば広告料算定基準取得要求をするための画面を表示したり、広告料算定基準提供サーバ１から受け取った広告料算定基準としての通行量を表示して、この通行量に基づく広告料の算定を行うための画面を表示したりする。例えば広告料算定基準取得要求をするための画面においては、操作部２０９を通じた入力操作により、広告場所や広告期間の指定を受け付けたり、広告料算定基準取得要求の実行指示を受け付けたりすることができる。
【００６１】
制御部２０１は、操作部２０９を通じた入力操作による広告場所や広告期間の指定を受け付けたときには、その広告場所や広告期間の情報を、広告料算定基準取得要求生成部２０６に転送する。広告料算定基準取得要求生成部２０６は、転送されてきた広告場所や広告期間の情報を含めた広告料算定基準取得要求を生成する。この場合に、この例においては、前述したように、広告代理店装置２は、将来の広告についての広告料算定基準の要求と、過去の広告についての広告料算定基準の要求と、現在実行中の広告についての広告料算定基準の要求との３種の要求を生成して、広告料算定基準提供サーバ１に対して送る。
【００６２】
そして、操作部２０９を通じた広告料算定基準取得要求の実行指示入力に基づく制御部２０１による指示により、広告料算定基準取得要求生成部２０６は、生成した広告料算定基準取得要求を、送受信処理部２０３及び通信インターフェース２０２を通じて、広告料算定基準提供サーバ１に送るようにする。
【００６３】
広告料算出部２０７は、広告料算定基準提供サーバ１から取得した広告料算定基準としての通行量から、指定した広告場所における指定した広告期間における広告料を算出する。そして、広告料算定部２０７は、その算出した広告料を、表示制御部２０４を介して表示部２０８の表示画面に、広告料算定基準としての通行量と共に表示させるようにする。広告料算定部２０７は、また、広告料算定基準提供サーバ１から取得した広告料算定基準としての通行量を累積し、その累積通行量が、予め定めたスポット広告の広告料に対応する通行量になったときに、そのスポット広告の終了指示を、表示部２０８の表示画面に表示するようにする。
【００６４】
なお、上述した広告代理店装置２の構成において、送受信処理部２０３、広告料算定基準取得要求生成部２０６及び広告料算出部２０７は、制御部２０１が内蔵するメモリに格納されているソフトウエアプログラムにより、制御部２０１がその処理機能として実行することもできる。
【００６５】
［広告料算定基準提供サーバ１の処理動作］
＜広告料算定基準情報の蓄積処理＞
図５は、広告料算定基準提供サーバ１の蓄積情報生成部１０５による広告料算定基準情報の広告料算定基準情報蓄積部１０６への蓄積処理を説明するためのフローチャートである。以下の説明においては、蓄積情報生成部１０５が制御部１０１のソフトウエアプログラムによる処理機能として実現される場合として説明する。
【００６６】
先ず、制御部１０１は、時間帯Ｔｉ−Ｔ（ｉ＋１）の間の携帯プローブ情報を、携帯プローブ情報収集サーバ６から取得する（ステップＳ１）。
【００６７】
次に、制御部１０１は、取得した携帯プローブ情報の位置情報と時刻情報との対応から、登録されている広告場所のそれぞれを通過した携帯電話端末を検出する。そして、制御部１０１は、その検出した携帯電話端末の数、すなわち、通行量を、通過した広告場所ごとに集計する（ステップＳ２）。
【００６８】
次に、制御部１０１は、時間帯Ｔｉ−Ｔ（ｉ＋１）の間の広告場所ごとの気象情報を気象情報提供サイト７から取得する（ステップＳ３）。また、制御部１０１は、時間帯Ｔｉ−Ｔ（ｉ＋１）の間の広告場所ごとのイベント情報をイベント情報提供サイト７から取得する（ステップＳ４）。
【００６９】
次に、制御部１０１は、ステップＳ２で集計した通行量と、ステップＳ３で取得した気象情報と、ステップＳ４で取得したイベント情報とを、広告料算定基準情報蓄積部１０６に、図３に示したように、対応する時間帯及び広告場所ごとに格納する（ステップＳ５）。そして、制御部１０１は、次の時間帯を指定し（ステップＳ６）、その後、処理をステップＳ１に戻し、当該次の時間帯において、上述したステップＳ１〜ステップＳ６の処理を繰り返す。
【００７０】
以上のようにして、広告料算定基準情報蓄積部１０６には、登録されている広告場所のそれぞれについて、所定時間毎の過去の通行量が、気象情報やイベント情報など、通行量に影響を与える条件因子と共に蓄積される。
【００７１】
［広告料算定基準提供サーバ１における広告料算定基準要求の受信時の処理動作］
図６及び図７は、広告料算定基準提供サーバ１の広告料算定基準要求受付部１０７及び要求回答情報生成部１０８による広告料算定基準取得要求の受信時の処理を説明するためのフローチャートである。以下の説明においては、広告料算定基準要求受付部１０７及び要求回答情報生成部１０８が制御部１０１のソフトウエアプログラムによる処理機能として実現される場合として説明する。
【００７２】
先ず、制御部１０１は、広告代理店装置２からの広告料算定基準取得要求の受信を監視し（ステップＳ１１）、広告料算定基準取得要求を受信したと判別したときには、受信した広告料算定基準取得要求に含まれる広告場所及び広告期間の情報を抽出して、指定された広告場所及び広告期間を特定する（ステップＳ１２）。なお、ステップＳ１１及びステップＳ１２は、広告料算定基準取得要求受付部１０７の処理である。そして、以下に説明するステップＳ１３以降の処理は、要求回答情報生成部１０８における処理である。
【００７３】
ステップＳ１２の次には、制御部１０１は、指定された広告期間は、過去であるか否か判別する（ステップＳ１３）。このステップＳ１３で、指定された広告期間は過去であると判別したときには、制御部１０１は、広告料算定基準情報蓄積部１０６に蓄積されている情報を参照し、指定された広告場所における、指定された広告期間における通行量を算出する（ステップＳ１４）。そして、制御部１０１は、算出した通行量を、過去の広告分についての広告料算定基準として、広告料算定基準取得要求してきた広告代理店装置２に送信する（ステップＳ１５）。その後、制御部１０１は、処理をステップＳ１１に戻し、このステップＳ１１以降の処理を繰り返す。
【００７４】
ステップＳ１３で、指定された広告期間は過去ではないと判別したときには、制御部１０１は、指定された広告期間は将来の広告予定期間であるか否か判別する（ステップＳ２１）。このステップＳ２１で、指定された広告期間は将来の広告予定期間であると判別したときには、制御部１０１は、気象情報提供サイト７にアクセスして、ステップＳ１２で特定した広告予定期間及び広告予定場所の気象情報の取得要求をし、該当する気象情報を気象情報提供サイト７から取得するようにする（ステップＳ２２）。
【００７５】
次に、制御部１０１は、イベント情報提供サイト８にアクセスして、特定した広告予定期間及び広告予定場所のイベント情報の取得要求をし、該当するイベント情報をイベント情報提供サイト８から取得するようにする（ステップＳ２３）。
【００７６】
次に、制御部１０１は、広告料算定基準情報蓄積部１０６の蓄積情報のうち、指定された広告予定場所における、指定された広告予定期間と、季節、時期、時間帯が同等あるいは近似する時間帯の過去の情報を参照する。そして、指定された広告予定期間に対応する時間帯の過去の情報のうちから、ステップＳ２２及びステップＳ２３で取得した気象情報及びイベント情報と近似する状況である蓄積情報を抽出する（ステップＳ２４）。そして、制御部１０１は、ステップＳ２４で抽出した蓄積情報の通行量を用いて、指定された広告予定場所における、指定された広告予定期間の通行量を算出（予測）する。そして、制御部１０１は、算出（予測）した通行量を、指定された広告予定場所における、指定された広告予定期間での広告料算定基準の情報として生成し、送受信処理部１０３及び通信インターフェース１０２を通じて、要求してきた広告代理店装置２に送信するようにする（ステップＳ２５）。このステップＳ２５の次には、制御部１０１は、処理をステップＳ１１に戻し、ステップＳ１１以降の処理を繰り返す。
【００７７】
また、制御部１０１は、ステップＳ２１で、広告代理店装置２からの広告料算定基準取得要求が、将来の広告予定期間を指定したものではなく、現在広告中の広告場所における、当該取得要求を受信した時点を終期とする広告期間を指定するものであるときには、指定された広告場所における前記取得要求を受信した時点を終期とする広告期間の通行量を算出し、その算出した通行量を、広告料算定基準として、取得要求してきた広告代理店装置２に送信する（ステップＳ２６）。このステップＳ２６の次には、制御部１０１は、処理をステップＳ１１に戻し、ステップＳ１１以降の処理を繰り返す。
【００７８】
［実施形態の効果］
以上説明した実施形態の広告料算定システムにおいて、広告料算定基準提供サーバは、広告期間が将来の広告予定期間の場合には、指定された広告予定場所における、前記広告予定期間と同じあるいは近似する季節や時期、時間帯であって、気象情報に基づく気象条件やイベント情報に基づくイベント開催などの条件が同じ、あるいは近似する通行量（予測通行量）を、広告料算定基準として算出する。したがって、根拠が明確な広告料算定基準が得られる。
【００７９】
また、上述の実施形態によれば、予定して広告が実行されたときには、広告代理店装置は、その実行された広告の広告場所及び広告期間を含めた広告料算定基準取得要求を、広告料算定基準サーバに送って、広告が実行された広告期間の実際の通行量を取得する。そして、広告代理店装置は、取得した実際の通行量を広告料算定基準として、予め、予測した通行量に基づいた広告料を修正することができる。したがって、より適切で、公平な広告料の算定ができる。
【００８０】
また、上述の実施形態によれば、デジタルサイネージとして広告を提供する場合において、当該広告が行われた広告場所における実際の通行量が、予め定めた広告料に対応する通行量となるまで、スポット広告を実行するという広告提供態様を提供することができる。すなわち、換言すれば、広告場所における実際の通行量を、広告料算定基準として、スポット広告を実行することができる。
【００８１】
［その他の実施形態及び変形例］
以上の実施形態では、携帯プローブ情報収集サーバ６と、広告料算定基準提供サーバ１とは、別々のサーバとしたが、広告料算定基準提供サーバ１が携帯プローブ情報収集サーバ６の機能を併せて備えているようにしても良い。
【００８２】
また、上述の実施形態では、通行量に影響を与える条件因子としては、気象情報やイベント情報を例に挙げたが、これに限られるものではないことは勿論である。例えば、電気工事やガス工事、道路工事などの工事情報が、通行量に影響を与える因子として、更に格納されても良い。
【符号の説明】
【００８３】
１…広告料算定基準提供サーバ、２…広告代理店装置、３…ネットワーク、４…携帯電話網、５…携帯電話端末、６…携帯プローブ情報収集サーバ
【図１】
2014021912.tif 000003
【図２】
2014021912.tif 000004
【図３】
2014021912.tif 000005
【図４】
2014021912.tif 000006
【図５】
2014021912.tif 000007
【図６】
2014021912.tif 000008
【図７】
2014021912.tif 000009